【事件の表示】
平成　７年特許願第１５４３３６号「磁気カードリードライト装置」拒絶査定不服審判事件〔平成　９年　１月１０日出願公開、特開平　９−　　６９３６〕について、次のとおり審決する。
【結　論】
　本件審判の請求は、成り立たない。
【理　由】
１． 手続の経緯・本願発明
　本願は、平成７年６月２１日の出願であって、その請求項１に係る発明（以下、「本願発明」という。）は、平成１６年１月１３日付けの手続補正書により補正された明細書の記載からみて、特許請求の範囲の請求項１に記載されたとおりの次のものと認める。
　
「磁気カードの搬送路に沿って、磁気カード搬送用のローラと、磁気カードのデータのリードライトを行う磁気ヘッドと、磁気カードに印字を行う印字ヘッドと、カード位置検出センサを設けた磁気カードリードライト装置であって、電気信号で書換え可能な記憶素子を設け、
　前記磁気ヘッドによる、リード回数、リードエラー回数、ライト回数、ライトエラー回数と、前記印字ヘッドによる印字回数とを、前記記憶素子に記憶し、電源を切ってもそれ以前の磁気カードリードライト装置の使用状態を確認できることを特徴とする磁気カードリードライト装置。」
　
２． 引用例
　これに対して、原査定の拒絶理由に引用された特開平４−１１２２９２号公報（平成４年４月１４日特許庁発行、以下「引用例１」という。）、特開平４−４４６６７号公報（平成４年２月１４日特許庁発行、以下「引用例２」という。）、及び特開平３−１３７７７９号公報（平成３年６月１２日特許庁発行、以下「引用例３」という。）には、それぞれ次の事項が図面と共に記載されている。
　
［引用例１］
Ａ．「プリペイドカードの挿入によりこのプリペイドカードから度数データをカードリーダライタにより読み取ってこの度数データが有効な場合に機器を使用可能とし、この機器の使用後に前記度数データから機器使用時間に対応した度数データを引いて残度数データを求め、この残度数データをカードリーダライタにより前記プリペイドカードに書き込んで前記プリペイドカードをカード搬送用モータにより排出する有料化装置を有するプリペイドカードシステムにおいて、前記カードリーダライタによりデータの読み書きが何回行われたかを計数してその回数のデータを不揮発性メモリに記憶する使用回数検知手段と、プリペイドカードの代りに保守点検用カードが挿入されたことでこの保守点検用カードから前記カードリーダライタによって読み取られたデータにより保守点検用カードの挿入を判断し前記不揮発性メモリに記憶されている回数のデータを読み出して告知する使用回数告知手段とを備えたことを特徴とするプリペイドカードシステム。」（１頁左下欄５行〜同頁右下欄４行）
　
Ｂ．「〔産業上の利用分野〕
　本発明は病院などにおいてテレビジョン受像機の使用等の有料化に用いられるプリペイドカードシステムに関する。」（１頁右下欄６〜９行）
　
Ｃ．「〔発明が解決しようとする課題〕
　上記プリペイドカードシステムではプリペイドカードをカード搬送用モータにより搬送し、カードリーダライタにより磁気ヘッドでプリペイドカードからデータを読み取ったりプリペイドカードにデータを書き込んだりするので、カードリーダライタの磁気ヘッドやカード搬送用モータは所定の期間後には寿命が尽きて使用不能となる。このため、カードリーダライタの磁気ヘッドやカード搬送用モータは定期的な保守を必要とし、大がかりな保守作業が強いられるという欠点がある。
　本発明は上記欠点を改善し、保守作業を容易に行なうことができるプリペイドカードシステムを提供することを目的とする。」（２頁右上欄１９行〜同頁左下欄１２行）
　
Ｄ．「〔課題を解決するための手段〕
　上記目的を達成するため、本発明はプリペイドカードの挿入によりこのプリペイドカードから度数データをカードリーダライタにより読み取ってこの度数データが有効な場合に機器を使用可能とし、この機器の使用後に前記度数データから機器使用時間に対応した度数データを引いて残度数データを求め、この残度数データをカードリーダライタにより前記プリペイドカードに書き込んで前記プリペイドカードをカード搬送用モータにより排出する有料化装置を有するプリペイドカードシステムにおいて、第１図に示すように前記カードリーダライタによりデータの読み書きが何回行われたかを計数してその回数のデータを不揮発性メモリに記憶する使用回数検知手段１と、プリペイドカードの代りに保守点検用カードが挿入されたことでこの保守点検用カードから前記カードリーダライタによって読み取られたデータにより保守点検用カードの挿入を判断し前記不揮発性メモリに記憶されている回数のデータを読み出して告知する使用回数告知手段２とを備えたものである。
〔作　用〕
　使用回数検知手段１はカードリーダライタによりデータの読み書きが何回行われたかを計数し、その回数のデータを不揮発性メモリに記憶する。そして、使用回数告知手段２はプリペイドカードの代りに保守点検用カードが挿入されたことでこの保守点検用カードからカードリーダライタによって読み取られたデータにより保守点検用カードの挿入を判断し、不揮発性メモリに記憶されている回数のデータを読み出して告知する。」（２頁左下欄１３行〜３頁左上欄３行）
　
Ｅ．「上記カードリーダライタ２８では第４図に示すようにプリペイドカードや保守点検用カードがカード挿入口２７から図示矢印方向に挿入され、このプリペイドカードや保守点検用カードをカード搬送路２９に沿って図示しない搬送系により搬送（挿入及び排出）を行って磁気ヘッド３０によりプリペイドカードに対するデータの読み取り及び書き込みや保守点検用カードに対するデータの読み取りを磁気的に行うとともに、サーマルヘッド３１によりプリペイドカードに対するマークの記録を行う。また、センサ３２，３３，３４はカード搬送路２９における所定の各位置でプリペイドカードや保守点検用カードを検知する。第５図（ａ）〜（ｄ）に示すように磁気ヘッド３０は書き込み用磁気ヘッド３０ａ及び読み取り用磁気ヘッド３０ｂからなり、変復調回路３５はライトクロック発生回路３６からのライトクロックに同期して制御部１８からのデータを変調して増幅器３７を介して書き込み用磁気ヘッド３０ａに出力することでプリペイドカードにデータを書き込ませる。また、データがプリペイドカードや保守点検用カードから読み取り用磁気ヘッド３０ｂにより読み取られ、この読み取り用磁気ヘッド３０ｂからの読み取り信号が増幅器３８を介して変復調回路３５により復調されて制御部１８へ出力される。モータ駆動回路３９は上記搬送系を駆動するカード搬送用ＤＣモータ４０を制御部１８からのモータ正転信号ＭＦ，モータ逆転信号ＭＢにより駆動する。カード位置検出回路４１はセンサ３２，３３，３４からのカード検知信号を制御部１８へ送り、サーマルヘッド駆動部４２は制御部１８からの信号によりサーマルヘッド３１を駆動してプリペイドカードにマークを記録させる。ここに、第６図に示すようにプリペイドカード４３の下面には３ｍｍ幅の磁気ストライプ４４が一方の側端から９ｍｍの位置にプリペイドカード４３の挿入方向と平行に設けられ、この磁気ストライプ４４にデータの読み取り及び書き込みが磁気ヘッド３０により行われる。また、プリペイドカード４３の磁気ストライプ４４には各プリペイドカード固有のＩＤデータや時間に対応した度数データなどが記録されており、当初は度数データが一定度数のデータである。保守点検用カードはプリペイドカード４３と同様な位置に磁気ストライプが形成され、この磁気ストライプには該カードが保守点検用カードであることを示す特定のデータが記録されている。また、第７図に示すようにプリペイドカード４３の上面には１０個のマーク記録位置Ｐ１〜Ｐ１０が一定の間隔でプリペイドカード４３の挿入方向と平行に設けられ、制御部１８はプリペイドカード４３の残度数に応じてサーマルヘッド駆動部４２にサーマルヘッド３１を駆動させてマーク記録位置Ｐ１〜Ｐ１０にマークを記録させる。」（３頁右上欄２０行〜４頁左上欄１０行）
　
Ｆ．「第８図は制御部１８の処理フローの一部を示す。
　カードがカード挿入口２７から挿入されてセンサ３２により検知されると、第９図に示すように制御部１８はセンサ３２からのカード検知信号ＰＨ１がオンした時にモータ正転信号ＭＦをモータ駆動回路３９に出力してカード搬送用ＤＣモータ４０をカード取り込み方向へ回転させ、センサ３４からのカード検知信号ＰＨ３がオンした後にセンサ３２からのカード検知信号ＰＨ１がオフした時にモータ駆動回路３９を介してカード搬送用ＤＣモータ４０にブレーキをかけて停止させることによりカードの取り込みを終了させる。そして、カードの取り込み中において、センサ３４からのカード検知信号ＰＨ３がオンしているときにカードから読み取り用磁気ヘッド３０ｂによりデータが読み取られてこのデータが増幅器３８，変復調回路３５を介して制御部１８に入力され、制御部１８はこの入力データをメモリに記憶し、この入力データから挿入カードが保守点検用カードであるか否かを判断する。挿入カードが保守点検用カードでないと判断した場合には制御部１８は上記入力データにおけるＩＤデータ及び度数データを調べて挿入カードが有効なプリペイドカードであるか否かを判断する。制御部１８はＩＤデータから挿入カードが有効なプリペイドカードでないと判断した場合、又は上記入力データにおける度数データがテレビジョン受像機１１の単位視聴時間に対応する度数データ以上でないと判断した場合には、不揮発性メモリに記憶しておいた使用回数データに１を加算して新たな使用回数データとして不揮発性メモリに再び記憶する。この使用回数は当初は（有料化装置１２の使用開始時には）０であり、プリペイドカードに対してカードリーダライタ２８でデータの読み取り又はデータの読み取り及び書き込みを１回行なう毎に更新される。」（４頁右上欄５行〜同頁左下欄１８行）
　
Ｇ．「また、制御部１８は上記入力データから挿入カードが保守点検用カードであると判断した場合には上記不揮発性メモリに記憶されている使用回数データを含む保守に必要な内部のデータを保守データ表示器を兼ねた残度数表示器２５に表示させ、上記不揮発性メモリに記憶しておいた使用回数データに１を加算して新たな使用回数データとして再び不揮発性メモリに記憶した後に、プリペイドカードと同様に保守点検用カードを排出させる。従って、有料化装置１２の保守点検を行なう者は有料化装置１２に保守点検用カードを挿入すれば保守データ表示器２６の表示使用回数から磁気へッド３０の使用回数を読み取ることができて磁気へッド３０の保守点検を容易に行なうことができ、かつ保守データ表示器２６の表示使用回数からカード搬送用ＤＣモータ４０の使用回数も分かってその保守点検を容易に行なうことができる。」（５頁右下欄１〜１７行）
　
　したがって、上記Ａ〜Ｇの記載事項、及び第１〜１１図を参照すると、引用例１には、次の発明（以下、「引用例１記載の発明」という。）が記載されているものと認められる。
　
　プリペイドカードの搬送路に沿って、プリペイドカード搬送用モータによって駆動される搬送系と、プリペイドカードのデータの読み取りと書き込みを行う磁気ヘッドと、プリペイドカードにマークを記録するサーマルヘッドと、カード搬送路における所定の各位置でカードを検知するセンサを備えたカードリーダライタであって、不揮発性メモリを備え、
　前記磁気ヘッドによるプリペイドカードのデータの読み取り又はデータの読み取り及び書込みの回数を使用回数データとして前記不揮発性メモリに記憶しておき、
　プリペイドカードの代りに保守点検用カードが挿入されたことでこの保守点検用カードから前記カードリーダライタによって読み取られたデータにより保守点検用カードの挿入を判断し前記不揮発性メモリに記憶されている回数のデータを読み出して告知する使用回数告知手段を備えたことを特徴とするカードリーダライタ。
　
　［引用例２］
Ｈ．「価値情報を磁気記録しその価値または価値の目安をカード上に表記した磁気カードと、磁気データの記録／再生を行なう磁気ヘッドと、磁気記録した価値または価値の目安をカード上に表記する価値表記手段と、価値または価値の目安の表記回数を計数する計数手段と、あらかじめある決まつた回数を記憶する回数記憶手段と、前記計数手段が計数した表記回数と前記回数記憶手段が記憶している回数とを比較して比較結果を出力する回数比較手段と、前記比較結果により前記計数手段が計数した表記回数が前記回数記憶手段が記憶している回数に達したことを告知する告知手段とからなる磁気カード記録再生装置。」（１頁左下欄５〜１７行）
　
Ｉ．「産業上の利用分野
　本発明は磁気カードを用いたプリペイドカードシステム等の磁気カード記録再生装置に関し、特に、磁気記録した価値または価値の目安を表記する磁気カード記録再生装置に関するものである。」（１頁左下欄１９行〜同頁右上欄３行）
　
Ｊ．「発明が解決しようとする課題
　しかしながら、長期間、磁気カード記録再生装置を使用すると、サーマルヘッドによる価値の目安表記の場合はサーマルヘッドとカードの接触面に綿ゴミや焼けかすが堆積する、等により表記性能が劣化し、カードに価値残高や価値の目安を表記できない状態になるにもかかわらず、この状態を未然に防止するメンテナンス時期の有効な告知手段がないという課題があつた。
　本発明は、上記課題を解決するもので、価値または価値の目安の表記回数をカウントし、価値表記手段の清掃等の適当なメンテナンス時期を告知することを可能とした磁気カード記録再生装置を提供することを目的とする。」（２頁左上欄８行〜同頁右上欄１行）
　
Ｋ．「１１はモータ制御部であり、後述するＲ／Ｗ処理制御手段４よりモータ制御信号を入力し磁気カード搬送用のモータ１２を駆動するものである。」（２頁右下欄８〜１０行）
　
Ｌ．「１４は磁気カードの価値残額の目安を表記する価値表記手段であり、一つのサーマルヘッドにより構成される。カード上の表記位置には感熱材が塗布されており所定の位置をサーマルヘッドにより変色させることにより表記を行なっている。１５は計数手段であり、サーマルヘッド１４の表記回数を積算してカウントするものである。１６は回数記憶手段であり、あらかじめサーマルヘッド１４の清掃が必要となるメンテナンス必要回数を記憶しておくものである。１７は回数比較手段であり、計数手段１５がカウントした積算回数と回数記憶手段１６に記憶したメンテナンス必要回数とを比較し比較結果を出力するものである。１８は告知手段であり、回数比較手段１７からの信号によりサーマルヘッド１４の清掃が必要であることを告知するものであり、例えば、ＬＥＤなどで構成されるものである。」（３頁左上欄１〜１７行）
　
Ｍ．「２１は搬送ローラであり、モータ１２の駆動力により回転するものである。２２は押圧ローラであり、磁気カードを搬送ローラ２１との間で挟持して搬送する。」（３頁右上欄２０行〜同頁左下欄３行）
　
　上記Ｈ〜Ｍの記載事項及び第１〜４図の記載によれば、引用例２には、磁気カード記録再生装置に備えられたサーマルヘッドを使用しての磁気カードへの表記回数を、積算カウントし、回数記憶手段に記憶しておき、前記サーマルヘッドのメンテナンスに使用する技術が開示されている。
　また、上記Ｋ及びＭの記載事項によれば、モータの駆動力により回転する搬送ローラにより、磁気カードを搬送する技術が開示されている。
　
　［引用例３］
Ｎ．「カードからデータを読み取る読取手段と、
　この読取手段の読取りエラーを検出するエラー検出手段と、
　このエラー検出手段で検出されたエラーの回数を記憶するエラー回数記憶手段と、
　予め設定されているエラーの限度回数を記憶する限度回数記憶手段と、
前記エラー回数記憶手段に記憶されているエラー回数と前記限度回数記憶手段に記憶されている限度回数とを比較する比較手段と、
　この比較手段による比較結果を出力する出力手段と、
を具備したことを特徴とするカードデータ処理装置。」（１頁左下欄５〜１８行）
　
Ｏ．「［産業上の利用分野］
　この発明はプリペイドカード等からデータを読み取って処理するカード読取装置付き電子式キヤッシュレジスタやＰＯＳシステム等のカードデータ処理装置に関する。
［従来の技術］
　従来、プリペイドカード（磁気カード）に対してデータの読み取りや書き込みを行うカードリーダ／ライタを備えた電子式キヤッシュレジスタ（ＥＣＲ）においてはプリペイドカードから残高を読み取り、この残高から小計額を減算してその結果をプリペイドカードに書き込むようにしている。
　ところで、カードリーダ／ライタにおいてはその老朽化等によってローラの偏心やヘッドの摩耗が生じると、カードデータを正確に読み取れないだけでなく、カードへ正確なデータを書き込むことができないという問題を生ずる。
　特に、ローラの偏心による影響はカードを正確に搬送することができず、ムラのあるデータの書き込みを起す、また磁気ヘッドの摩耗については、カードとヘッドとが離れている為、カードの磁性面に着磁できず、弱い磁力の書き込みとなり、カードを長時間放置すると、データが消えてしまう危険性があった。」（１頁右下欄２行〜２頁左上欄７行）
　
Ｐ．「［課題を解決するための手段］
　この発明の手段は次の通りである。
　読取手段ｌ（第１図の機能ブロック図を参照。以下同じ）は例えばプリペイド等からデータを磁気的に読み取る磁気読取装置等である。
　エラー検出手段２は読取手段ｌの読取りエラー（ローラの偏心やヘッドの摩耗等による。）を検出する。
　エラー回数記憶手段３はエラー検出手段２で検出されたエラーの回数を記憶する。
　限度回数記憶手段４は予め設定されているエラーの限度回数を記憶する。
　比較手段５はエラー回数記憶手段３に記憶されているエラー回数と限度回数記憶手段４に記憶されている限度回数とを比較する。
　出力手段６は比較手段５による比較結果を印字や表示等によって出力する印字装置や表示装置等である。」（２頁右上欄１１行〜同頁左下欄９行）
　
Ｑ．「ＲＡＭ１８は自己のマシンＮｏ（ターミナルＮｏ）および営業記録としての売上データを記憶する他、カードリーダ／ライタ１３によるエラー回数、プリペイドカードの利用回数等を記憶する構成となっている。」（３頁右上欄１〜５行）
　
Ｒ．「また、ＣＰＵ２１はキー入力部２３上の点検キーＣＫが操作された際に、各車載端末機から収集したＲＡＭ２７内の売上データをプリンタ２４から印字出力させて点検レポートを作成する点検処理を行う。この際、ＣＰＵ２１は端末ＮｏレジスタＴＲの値をインクリメントしながら各端末を順次指定してゆき、指定端末毎に収集したカード利用回数とＲＡＭ２７内に予め設定されているカード利用限度回数とを比較する他、指定端末毎に収集したエラー回数とＲＡＭ２７内に予め設定されている限度エラー回数とを比較し、それらの比較結果を点検レポートに印字出力させる。」（３頁右上欄１９行〜同頁左下欄１０行）
　
Ｓ．「なお、上記実施例においては読み込みエラーを検出するようにしたが書き込みエラーを検出するようにしてもよい。また、タクシーカードシステムに限らず、その他のカードシステムにも適用可能であると共に、スタンドアローンタイプのカードリーダ／ライタを備えたＥＣＲ等にも適用可能である。」（４頁右下欄１９行〜５頁左上欄５行）
　
　上記Ｎ〜Ｓの記載事項及び第１〜７図の記載によれば、引用例３には、磁気カードリーダ／ライタにおいて、データ読取手段の読取りエラーを検出するエラー検出手段を設け、そのエラー検出手段で検出されたエラーの回数をエラー回数記憶手段に記憶しておき、保守点検に使用する技術が開示されている。そして、上記Ｓの記載事項によれば、書き込みエラーを検出するようにしてもよいこと、つまり、データ書込手段の書込みエラーを検出するエラー検出手段を設け、そのエラー検出手段で検出された書込みエラーの回数をエラー回数記憶手段に記憶しておき、保守点検に使用する技術も開示されているものと認めることができる。
　
３． 対比
　本願発明と引用例１記載の発明とを対比すると、両者は、共に、保守用の情報を記憶しておく機能を備えたカードリードライタ装置であり、
　引用例１記載の発明の「プリペイドカード」、「搬送路」、「磁気ヘッド」、「サーマルヘッド」、「カード搬送路における所定の各位置でカードを検知するセンサ」、「不揮発性メモリ」、及び「カードリーダライタ」は、それぞれ本願発明の「磁気カード」、「搬送路」、「磁気ヘッド」、「印字ヘッド」、「カード位置検出センサ」、「電気信号で書換え可能な記憶素子」、及び「磁気カードリードライト装置」に相当する。
　また、引用例１記載の発明の「プリペイドカード搬送用モータによって駆動される搬送系」と本願発明の「磁気カード搬送用のローラ」は、共に磁気カード搬送手段である点で対応しており、引用例１記載の発明における「磁気ヘッドによるプリペイドカードのデータの読み取り又はデータの読み取り及び書込みの回数」であるところの「使用回数データ」と、本願発明における「磁気ヘッドによる、リード回数、リードエラー回数、ライト回数、ライトエラー回数」及び「印字ヘッドによる印字回数」は、磁気カードリードライト装置の使用状態を示すデータという点で対応している。
　さらに、引用例１記載の発明において、不揮発性メモリに記憶しておいた上記の使用回数データは、カードリーダライタの使用状態を示すデータであり、かつ、電源を切っても揮発せず、後で保守点検に使用可能なデータとして記憶されており、「プリペイドカードの代りに保守点検用カードが挿入されたことでこの保守点検用カードから前記カードリーダライタによって読み取られたデータにより保守点検用カードの挿入を判断し前記不揮発性メモリに記憶されている回数のデータを読み出して告知する使用回数告知手段」を備えているのであるから、引用例１記載の発明は、本願発明の「電源を切ってもそれ以前の磁気カードリードライト装置の使用状態を確認できること」に対応する構成を備えている。
　
　してみると、本願発明と引用例１記載の発明とは、
　磁気カードの搬送路に沿って、磁気カード搬送手段と、磁気カードのデータのリードライトを行う磁気ヘッドと、磁気カードに印字を行う印字ヘッドと、カード位置検出センサを設けた磁気カードリードライト装置であって、電気信号で書換え可能な記憶素子を設け、
　前記磁気カードリードライト装置の使用状態を示すデータを前記記憶素子に記憶し、電源を切ってもそれ以前の磁気カードリードライト装置の使用状態を確認できることを特徴とする磁気カードリードライト装置。
である点で一致し、次の点で相違する。
　
＜相違点１＞
　磁気カード搬送手段が、本願発明においては、磁気カード搬送用ローラであるのに対して、引用例１記載の発明においては、プリペイドカード搬送用モータによって駆動される搬送系である点。
　
＜相違点２＞
　記憶素子に記憶しておく磁気カードリードライト装置の使用状態を示すデータが、本願発明においては、磁気ヘッドによる、リード回数、リードエラー回数、ライト回数、ライトエラー回数と、印字ヘッドによる印字回数であるのに対して、引用例１記載の発明においては、磁気ヘッドによるデータのリード及びライト回数にとどまり、磁気ヘッドによるリードエラー回数、ライトエラー回数、及び印字ヘッドによる印字回数については開示されていない点。
　
４． 当審の判断
　上記相違点について検討する。
＜相違点１＞について
　磁気カードリードライト装置において、磁気カードを、モータの駆動力により回転するローラで搬送することは、上記引用例２に開示されているごとく周知であり、この相違点１は格別なものではない。
　
＜相違点２＞について
　磁気カードリードライト装置において、サーマルヘッドを使用しての磁気カードへの表記回数を、積算カウントし、回数記憶手段に記憶しておき、前記サーマルヘッドのメンテナンスに使用する技術が上記引用例２に開示されており、また、読取りエラーの回数や書込みエラーの回数を記憶手段に記憶しておき保守点検に使用する技術が上記引用例３に開示されているのであるから、磁気カードリードライト装置の保守点検をより精緻に行えるように、その使用状態を示すデータとして、磁気ヘッドによるリード回数及びライト回数に加えて、磁気ヘッドによるリードエラー回数とライトエラー回数、及び印字ヘッドによる印字回数をも記憶素子に記憶しておくように構成することは、当業者であれば容易に想到し得たことである。
　
　そして、本願発明の構成によってもたらされる効果も、引用例１〜３に記載された発明及び周知技術から当業者ならば容易に予測することができる程度のものであって、格別のものとはいえない。
　
５．むすび
　したがって、本願発明は、引用例１〜３に記載された発明及び周知技術に基いて、当業者が容易に発明をすることができたものであるので、特許法第２９条第２項の規定により特許を受けることができない。
　よって、結論の通り審決する。